(57)【要約】【課題】光ファイバー線をクリップするためにベースに固定されるのに適した光ファイバー線クリップを提供する。【解決手段】この光ファイバー線クリップは貫通孔を備える。光ファイバー線は貫通孔の中を通って配置され、貫通孔の壁によって留められるようになっている。貫通孔の壁と光ファイバー線の表面との間の最大静止摩は、光ファイバー線が耐えうる最大応力よりも小さく設定される。【選択図】図３
2007072439.tif 000002
【特許請求の範囲】
【請求項１】
光ファイバー線を留めるためベースに固定されるように構成された光ファイバー線クリップであって、
上記光ファイバー線クリップは貫通孔を備え、光ファイバー線が上記貫通孔内を通って配置され貫通孔の壁によって留められるように構成され、
貫通孔の壁と光ファイバー線の表面との間の最大静止摩擦を、光ファイバー線が耐えうる最大応力よりも小さく設定したことを特徴とする光ファイバー線クリップ。
【請求項２】
請求項１に記載の光ファイバー線クリップにおいて、
上記ベースはフレームを備え、上記光ファイバー線クリップは、上記フレームの内側で上記ベース上に固定して配置されるように構成される。
【請求項３】
請求項２に記載の光ファイバー線クリップにおいて、
上記光ファイバー線クリップはテーパー形状であり、上記貫通孔は、テーパー形状の軸に沿って上記テーパー形状を横断する。
【請求項４】
請求項３に記載の光ファイバー線クリップにおいて、
上記フレームは第１フレームバーと第２フレームバーとを備え、上記第１フレームバーと上記第２フレームバーは所定の角度を形成する。
【請求項５】
請求項３に記載の光ファイバー線クリップにおいて、
この光ファイバー線クリップはさらに、テーパー形状の軸に沿ってテーパー形状の一つの端面からその端面に対応する他の端面まで延びるスリットを備え、光ファイバー線がそのスリットを介してテーパー形状の一面から上記貫通孔の中に配置されるように構成される。
【請求項６】
請求項１に記載の光ファイバー線クリップにおいて、
上記光ファイバー線クリップはシリカゲルのような材料によって形成される。
【発明の詳細な説明】
【技術分野】
【０００１】
この発明は光学装置用のクリップに関し、より詳細には、光ファイバー線クリップに関する。
【背景技術】
【０００２】
光ファイバー、すなわち光導電ファイバーは、ガラス内における光の全反射の原則に基づいて電気通信信号を伝達するための光導電装置である。光ファイバーは、高帯域や、干渉に対する非感受性、長距離信号伝送性を有しているという特性において有利である。従って、光ファイバーネットワークシステムは電気通信ネットワークにおいて不可欠の要素になっている。
【０００３】
近年、光ファイバー線機器の価格が徐々に低下しており、それによりＦＴＴＨ（ファイバー・トゥ・ザ・ホーム）電気通信システムがより普及し始めている。この電気通信システムは適切な顧客宅内機器を利用し、その結果、電気通信信号がデータ端未からユーザ端未へ光ファイバー線を通ってダイレクトに伝送される。従って、このような電気通信システムを使用するユーザは、迅速かつ高速な信号伝送を享受することができる。
【０００４】
しかしながら、同じ電気通信信号の伝送用の銅ケーブルと比較すると、光ファイバー線の構造の強度はかなり弱いので、光ファイバー線を損傷から守るために、ユーザ端未内の装置には、通常適当な配線装置が必要となる。
【０００５】
図１は、従来の光ファイバー線クリップを概略的に示している。図１を参照すると、この光ファイバー線クリップ１００は主に、第１クリップホルダー１１０と、第２クリップホルダー１２０とからなる。第１クリップホルダー１１０は、複数の突出部１１２と固定部１１４を備える。第２クリップホルダー１２０は、複数の突出部１２２を備える。第１クリップホルダー１１０と第２クリップホルダー１２０は、図１中の矢印で示した方向に沿って相対的に動くよう構成されている。従って、この光ファイバー線クリップ１００は、第１の突出部１１２と第２の突出部１２２とを介して、第１クリップホルダー１１０と第２クリップホルダー１２０との間に、光ファイバー線Ｗを留めることができる。
【０００６】
図２は、図１の光ファイバー線クリップによって、光ファイバー線が光ファイバー線ディスク（ｏｐｔｉｃａｌ  ｆｉｂｅｒ  ｗｉｒｅ  ｄｉｓｃ）に固定して留められた場合を示す図である。光ファイバー線クリップ１００は、光ファイバー線Ｗが第１クリップホルダー１１０と第２クリップホルダー１２０とによって留められた後、光ファイバー線ディスク２００のフレーム２１０内に配置される。フレーム２１０の内側には、複数の第３の突出部２１２が配置されている。光ファイバー線Ｗは、光ファイバー線クリップ１００によって、第１のクリップホルダー１１０の固定部１１４とフレーム２１０の第３の突出部２１２とを介して、光ファイバー線ディスク２００上に固定して留められる。
【０００７】
ここにおいて、光ファイバー線クリップ１００によって、光ファイバー線Ｗを光ファイバー線クリップ１００とフレーム２１０を介して光ファイバー線ディスク２００上に固定して留めることができるが、光ファイバー線Ｗが光ファイバー線クリップ１００内に堅固に留められているため、光ファイバー線Ｗが外力によって引っ張られたとき、光ファイバー線Ｗが容易に破損してしまっていた。
【０００８】
光ファイバー線Ｗが外力によって引っ張られた時に破損し易いので、別の従来の技術においては、光ファイバー線クリップ１００の設計が省略され、光ファイバー線Ｗが、フレーム２１０内を通過する時に、いずれの場所にも留められていないものもある。この場合、光ファイバー線Ｗが外力によって引っ張られた時、光ファイバー線Ｗは光ファイバー線クリップ１００によって制限されず、光ファイバー線Ｗが外力に沿って動いた時に、光ファイバー線にある程度の緩衝が設けられることとなる。そのような設計によって、光ファイバー線が破損するのを防止している。しかしながら、そのような設計では、光ファイバー線ディスク２００の中に光ファイバー線Ｗを正確に位置決めすることができない。
【発明の開示】
【発明が解決しようとする課題】
【０００９】
本発明は上記問題点に鑑みて為されたものであって、本発明の目的は、光ファイバー線クリップによって留められた光ファイバー線が外力によって引っ張られても光ファイバー線が容易に破損しない光ファイバー線クリップを提供することにある。
【課題を解決するための手段】
【００１０】
本発明は光ファイバー線を留めるためベース（土台）に固定されるように構成された光ファイバー線クリップを提供する。この光ファイバー線クリップは貫通孔を備える。光ファイバー線は貫通孔内を通って配置され、貫通孔の壁（内壁）によって留められる（クリップされる）ようになっている。貫通孔の壁と光ファイバー線の表面との間の最大静止摩擦は、光ファイバー線が耐えうる最大応力よりも小さくなるように設定されている。
【００１１】
本発明の実施形態においては、上記ベースはフレームを備えていてもよく、上記光ファイバー線クリップは、上記フレームの内側で上記ベース上に固定して配置されるように構成される。
【００１２】
本発明の実施形態においては、上記光ファイバー線クリップはテーパー形状でもよく、上記貫通孔は、テーパー形状の軸に沿って上記テーパー形状を横断する。
【００１３】
本発明の実施形態においては、上記フレームは第１フレームバーと第２フレームバーとを備えていてもよく、上記第１フレームバーと上記第２フレームバーは所定の角度を形成する。
【００１４】
本発明の実施形態においては、この光ファイバー線クリップはさらにスリットを備えていてもよい。そのスリットは、テーパー形状の軸に沿ってテーパー形状の一つの端面からその端面に対応する他の端面まで延び、光ファイバー線はそのスリットを介してテーパー形状の一面から上記貫通孔の中に配置されるようになっている。
【００１５】
本発明の実施形態においては、上記光ファイバー線クリップはシリカゲルのような材料によって形成される。
【００１６】
本発明においては、貫通孔の壁と光ファイバー線の表面との間の最大静止摩擦が、光ファイバー線が耐えうる最大応力の範囲以内となるように設定されている。よって、この光ファイバー線クリップによってクリップされた光ファイバー線が外力によって引っ張られると、光ファイバー線が破損する前に光ファイバー線が相対的に移動する。従って、本発明によって提供された光ファイバー線クリップは、通常の力よりも大きな外力によって光ファイバー線が引っ張られた時に、光ファイバー線が破損するのを防止できる。
【００１７】
添付の図面は本発明の理解を深めるために添えられており、この明細書に添付されてこの明細書の一部を構成している。図面は本発明の実施形態を示しており、明細書の記載と共に、本発明の原理を説明する役目を果たしている。
【発明を実施するための最良の形態】
【００１８】
図３は、本発明の実施形態に係る光ファイバー線クリップを概略的に示している。図３を参照すると、この光ファイバー線クリップ３００は、貫通孔３１０を備える。貫通孔３１０の壁は光ファイバー線Ｗの一部分（線分）の外面をクリップするのに適しており、この光ファイバー線クリップ３００は、シリカゲルやその他の材料によって形成されている。具体的には、本実施形態の光ファイバー線クリップ３００はテーパー形状（先細り形状）であり、貫通孔３１０はテーパーの軸Ａに沿ってテーパーを横切っている。しかしながら、本実施形態で開示されている光ファイバー線クリップ３００の形状はそのような形状に限定されるものではない。本発明の他の実施形態においては、光ファイバー線クリップ３００の形状は、四角形や円柱形、あるいは他の適当な形状であってもよい。
【００１９】
上述の光ファイバー線クリップ３００は、光ファイバー線Ｗを留めるために、光ファイバー線Ｗを貫通孔３１０内に配置するように構成されている。光ファイバー線Ｗを貫通孔３１０内に容易に配置するために、この光ファイバー線クリップ３００は、さらにスリット３２０を備える。スリット３２０は、軸Ａに沿って、光ファイバー線クリップ３００の一方の端面３０２から光ファイバー線クリップ３００の対応するもう一方の端面３０４まで延びている。従って、本実施形態においては、光ファイバー線Ｗの一線分が、光ファイバー線クリップ３００の一方の側からスリット３２０を介して貫通孔３１０内に配置されるようになっている。
【００２０】
光ファイバー線Ｗが貫通孔３１０内に配置された後、光ファイバー線クリップ３００と光ファイバー線Ｗは、図４の通信機器内に共に固定される。本実施形態において、図４の通信機器はユーザ端末装置４００であってもよい。図５は、図４の概略分解図である。図５を参照すると、このユーザ端末装置４００は、上ハウジング４１０と、ベース（土台）４２０と、電気通信モジュール４３０と、下ハウジング４４０とを備える。ベース４２０は、フレーム４２６を備え、光ファイバー線クリップ３００は、フレーム４２６内に配置されるように構成されており、その結果、光ファイバー線クリップ３００によって留められた（クリップされた）光ファイバー線Ｗは、ベース４２０に固定される。本実施形態においては、フレーム４２６は主に第１フレームバー４２２と第２フレームバー４２４とからなり、第１フレームバー４２２と第２フレームバー４２４とによって所定の角度が形成されている。
【００２１】
外力によって光ファイバー線が引っ張られた時に光ファイバー線クリップによって留められた光ファイバー線Ｗが容易に破損するのを防止するために、貫通孔３１０の壁と光ファイバー線Ｗの表面との間の最大静止摩擦は、光ファイバー線が耐えうる最大応力の範囲以内に設定される。従って、光ファイバー線Ｗが光ファイバー線クリップ３００によってベース４２０に固定して留められ、光ファイバー線Ｗが外力によって光ファイバー線Ｗの軸に沿った方向へ引っ張られた時、もし外力が貫通孔３１０の壁と光ファイバー線Ｗの表面との間の最大静止摩擦よりも小さければ、光ファイバー線Ｗは貫通孔３１０の中に固定されており、光ファイバー線Ｗは光ファイバー線クリップ３００に対して相対的に動かない。一方、もし外力が貫通孔３１０と光ファイバー線Ｗの表面との間の最大静止摩擦よりも大きければ、光ファイバー線Ｗは、外力の方向に沿って光ファイバー線クリップ３００に対して相対的に動く。従って、この光ファイバー線クリップ３００は、通常の力よりも大きい外力によって光ファイバー線が引っ張られた時に、光ファイバー線Ｗが破損するのを防止することができる。
【００２２】
本実施形態では、光ファイバー線クリップ３００はシリカゲルのような材料から形成されており、貫通孔３１０の壁と光ファイバー線Ｗの表面との間の最大静止摩擦は、シリカゲルの硬さを調整することによって設定することができる。具体的には、本実施形態では、貫通孔３１０の壁と光ファイバー線Ｗの表面との間の最大静止摩擦は、シリコンＫＥ９５１Ｕ  ５０°やシリコンＫＥ９５１Ｕ  ６０°、あるいは他の適切な型番を含むシリカゲルの型番から、シリカゲルの型番を適切に選択することによって設定することができる。一般に、光ファイバー線クリップ３００は、引張力が３〜３．５Ｋｇを越えたときに動き始める。
【００２３】
さらに、本実施形態においては、光ファイバー線クリップ３００がテーパー形状であり、フレーム４２６の第１フレームバー４２２と第２フレームバー４２４とが所定の角度を形成し、光ファイバー線クリップ３００がフレーム４２６内に配置されるので、光ファイバー線クリップ３００とフレーム４２６との相対位置を調節することによって、本実施形態は第１フレームバー４２２・第２フレームバー４２４と光ファイバー線クリップ３００との間の密着具合を調整することができ、さらには、貫通孔３１０の壁と光ファイバー線Ｗとの間の最大静止摩擦も調節される。
【００２４】
光ファイバー線クリップ３００の材料の適切な選択と、光ファイバー線クリップ３００とフレーム４２６との協調（密着具合）に加えて、貫通孔３１０の壁と光ファイバー線Ｗとの間の最大静止摩擦は、貫通孔３１０の口径やあるいは他の要因を調節することによっても設定することができ、それらの結果、最大静止摩擦は光ファイバー線Ｗが耐えうる最大応力の範囲以内に設定される。
【００２５】
要約すれば、本発明によって設定される最大静止摩擦は、光ファイバー線が耐えることのできる最大応力よりも小さい。それゆえ、光ファイバー線にかかる外力が光ファイバー線が耐えうる最大応力よりも大きいとき、光ファイバー線は破損する前に光ファイバー線クリップに対して相対的に移動する。光ファイバー線は外力によって光ファイバー線の軸方向に沿った方向へ引っ張られる。従って、本発明で開示された光ファイバー線クリップは、光ファイバー線をベース上に固定して配置すると共に、光ファイバー線が通常の力よりも大きい外力によって引っ張られた時に、光ファイバー線が破損するのを防止することができる。
【００２６】
さらに、シリカゲルは長寿命、亀裂抵抗性、毒性（有毒）蒸発がない、という利点を有しているので、もし本発明の光ファイバー線クリップがシリカゲルから形成されているならば、本発明で開示された光ファイバー線クリップも、長寿命や毒性蒸発がないというような同様の利点を有している。
【００２７】
以上本発明を特定の実施形態を参照しながら説明したが、当該技術分野における通常の知識を有する者が本発明の精神から離れることなしに上述の実施形態に様々な変形を施すことができるということは明白である。従って、本発明の範疇は、上述の詳細な実施形態によってではなく、添付の請求項によって規定される。
【図面の簡単な説明】
【００２８】
【図１】従来の光ファイバー線クリップを概略的に示した図である。
【図２】図１の光ファイバー線クリップによって光ファイバー線を光ファイバー線ディスクに固定して留めた場合を説明する概略図である。
【図３】本発明の実施形態に係る光ファイバー線クリップを概略的に示した図である。
【図４】光ファイバー線と図３の光ファイバー線クリップの両方を通信機器の中に固定した場合を説明する概略図である。
【図５】図４の概略分解図である。
【図１】
2007072439.tif 000003
【図２】
2007072439.tif 000004
【図３】
2007072439.tif 000005
【図４】
2007072439.tif 000006
【図５】
2007072439.tif 000007